(57)【要約】【課題】  本発明の目的は、通信相手の着信音の設定を容易にできる通信装置を提供することである。【解決手段】  通信接続を確立する手段（Ｓ２１０，Ｓ２２０，Ｓ２３０）と、前記通信接続確立後に、音声伝送プロトコルの最初の音声データとして着信音データを送信する手段（Ｓ２４０）とを備える通信装置。【選択図】  図２
2005109558.tif 000002
【特許請求の範囲】
【請求項１】
通信接続を確立する手段と、
前記通信接続確立後に、音声伝送プロトコルの最初の音声データとして着信音データを送信する手段と
を備える通信装置。
【請求項２】
前記着信音データを送信した後に、音声データを受信すると、音声通話を開始する手段を
さらに備えることを特徴とする請求項１記載の通信装置。
【請求項３】
前記着信音データを送信した後に、音声データ以外のデータを受信すると、前記通信接続を切断する手段を
さらに備えることを特徴とする請求項１記載の通信装置。
【請求項４】
通信接続コマンドの中に相手側通信装置が予め設定している着信音を無効にする無効コマンドを組み込む手段と、
前記無効コマンドを相手側通信装置に送信することによって、通信接続を確立する手段と、
前記通信接続確立後に、音声伝送プロトコルの最初の音声データとして着信音データを送信する手段と
を備える通信装置。
【発明の詳細な説明】
【技術分野】
【０００１】
本発明は、通信装置に関し、特に、通信相手の着信音を設定する音声通信装置に関する。
【背景技術】
【０００２】
音声通信装置において、着呼を知らせるための着信音を発信者番号の通知を利用して、発信者毎に変更する機能を提供するによって着信者側で発信者の識別を容易にしている。一方、発信者が着信音を指定したい場合もある。
【０００３】
そこで、従来の発信側音声通信装置では、通信接続制御チャネル（呼制御プロトコル）の中に着信音の制御指示コマンド及び着信音の圧縮ＷＡＶファイルを入れている。そして、着信側音声通信装置では、通信接続制御チャネルの内容を解析する。着信音の制御指示がある場合には、この制御指示コマンドに従って、着信音の圧縮ＷＡＶファイルを取り出し、解凍し、着信音の設定をし、着信側通信装置のスピーカから着信音が発生される（例えば特許文献１参照）。ここで、ＷＡＶファイルとは、パーソナルコンピュータで扱われる音声データのファイル形式で、音そのもののサンプリングデータを記録するファイル形式である。
【特許文献１】特開２０００−３４９８６３号公報（第３〜４頁、図３）
【発明の開示】
【発明が解決しようとする課題】
【０００４】
しかし、通信接続制御チャネルの中に着信音の設定を入れると、着信側の通信装置では通信接続制御チャネルの中から着信音の圧縮ＷＡＶファイルを取り出し、解凍し、設定するという複雑な処理が必要である。
【０００５】
本発明の目的は、通信相手の着信音の設定を容易にできる通信装置を提供することである。
【課題を解決するための手段】
【０００６】
第１の発明は、通信接続を確立する手段と、前記通信接続確立後に、音声伝送プロトコルの最初の音声データとして着信音データを送信する手段とを備える通信装置である。
【０００７】
第２の発明は、前記着信音データを送信した後に、音声データを受信すると、音声通話を開始する手段をさらに備えることを特徴とする第１の発明記載の通信装置である。
【０００８】
第３の発明は、前記着信音データを送信した後に、音声データ以外のデータを受信すると、前記通信接続を切断する手段をさらに備えることを特徴とする第１の発明記載の通信装置である。
【０００９】
第４の発明は、通信接続コマンドの中に相手側通信装置が予め設定している着信音を無効にする無効コマンドを組み込む手段と、前記無効コマンドを相手側通信装置に送信することによって、通信接続を確立する手段と、前記通信接続確立後に、音声伝送プロトコルの最初の音声データとして着信音データを送信する手段とを備える通信装置である。
【発明の効果】
【００１０】
本発明によれば、通信相手の着信音の設定を容易にできる通信装置を提供することができる。
【発明を実施するための最良の形態】
【００１１】
以下、本発明の実施の形態について図面を参照しながら説明する。
【００１２】
図１は、本実施形態に係る発呼側または着呼側の音声通信装置１００の概略ブロック図である。図２は、本実施形態に係る発呼側及び着呼側の音声通信装置のフローチャートである。ここでは、音声通信装置の一例として、ＶｏＩＰ(Voice over Internet Protocol、インターネット電話)を利用したＰＤＡ（Personal Digital Assistant、携帯情報端末）、パーソナルコンピュータ等のＶｏＩＰ端末の場合を説明する。
【００１３】
発呼側の音声通信装置１００は、プッシュボタン等の操作部１０１及び液晶ディスプレイ等の表示部１０２で着呼側の音声通信装置の電話番号を指定する。この電話番号情報は操作インタフェース制御部１０５経由で制御部１０７に送られる。
【００１４】
制御部１０７は、この電話番号情報に基づいて、着信音／音声記憶部１０９に予め着呼側の音声通信装置用として登録されている着信音又は音声データを読み出す。着信音データとしては音楽メロディなどがあり、音声データとしては人間の声で「打合せの時間ですよ」などの用件を伝える場合がある。
【００１５】
読み出された着信音又は音声データは、符号化／復号化処理部１０８でＲＴＰプロトコル(Real-time Transport Protocol)に対応するように符号化される。ＲＴＰプロトコルとは音声データをパケットとして運ぶ伝送プロトコルである。
【００１６】
次に、制御部１０７は、ネットワークインタフェース部１０６を介して、ＬＡＮ(Local Area Network)などの有線ネットワーク１１０に接続されている着呼側の音声通信装置に通信要求を行う。
【００１７】
この通信要求では、呼制御プロトコルを用いる。呼制御プロトコルとは、ＶｏＩＰ端末の着信音を鳴らしたり、電話番号を基に通話相手を特定する機能を実現するものである。呼制御プロトコルとしては、Ｈ．３２３、ＳＩＰ(Session Initiation Protocol)、及びＭＥＧＡＣＯ(Media Gateway Control、ＩＴＵ−Ｔでの名称はＨ．２４８)がある。本実施形態では、Ｈ．３２３を呼制御プロトコルとして用いる。
【００１８】
この呼制御プロトコルに基づいて、制御部１０７は、着呼側音声通信装置へ通信要求を行い（Ｓ２１０）、応答が来ることによって（Ｓ２２０）、通信接続が確立される（Ｓ２３０）。これによって、双方向の音声通信接続が確立される。
【００１９】
この通信接続が確立された後に、発呼側音声通信装置は音声通話の第一声としての着信音をＲＴＰプロトコルで送信する（Ｓ２４０）。そして着呼側音声通信装置のスピーカ１０３から送られてきた着信音が再生される。その後、発呼側及び着呼側の音声通信装置のマイク１０４及びスピーカ１０３を用いて通常の音声通話を開始する（Ｓ２５０）。
【００２０】
このように、音声通話の第一声として、発呼側音声通信装置が指定した着信音データを着呼側音声通信装置にＲＴＰプロトコルで送信し、着呼側のスピーカで再生されることによって、発呼側の希望通りの着信音を再生できる。しかも、通信接続が確立された後に着信音データを音声伝送プロトコルであるＲＴＰプロトコルで送っているので、通信接続確立前に着信音データを送らなくて済む。これは、着信音データの取り出し、解凍、設定などの複雑な処理を行う必要がなく、通信相手の着信音の設定を容易にできる。
【００２１】
なお、発呼側の音声通信装置は、Ｈ．３２３などの呼制御プロトコル内に着呼側の音声通信装置が予め設定している着信音を強制的に無効にする無効コマンドを組み込んでも良い。このようにすれば、着呼側で設定されている着信音を再生せずに、いきなり発呼側から送信した着信音を再生することができる。
【００２２】
次に、発呼側及び着呼側の音声通信装置それぞれの動作について説明する。図３は、本実施形態に係る発呼側の音声通信装置のフローチャートである。以下の動作フローは音声通信装置の制御部１０７によって行われる。まず、着呼側の音声通信装置へ通信要求をする（Ｓ３１０）。通信接続が成立すると（Ｓ３２０のＹｅｓ）、着信音データを送信する（Ｓ３３０）。応答があった場合（Ｓ３４０のＹｅｓ）、この応答の種別を判断する（Ｓ３５０）。応答が音声データの場合、通常の音声通話を開始する（Ｓ３６０）。応答が切断コマンドの場合、通信接続を切断する（Ｓ３７０）。
【００２３】
図４は、本実施形態に係る着呼側の音声通信装置のフローチャートである。発呼側の音声通信装置から通信要求を受信すると、接続処理を行う（Ｓ４１０）。この後、着信音データを受信し、再生する（Ｓ４２０）。続いて、利用者が通話を受付けるか待機する（Ｓ４３０）。通話を拒否した場合には通信要求をやりとりする制御用の通信処理によって通信接続を切断するコマンドを応答し、強制的に切断する（Ｓ４４０）。一方、通話を受付ける場合には着呼側からの音声データ送信を開始し、通常の音声通話を開始する（Ｓ４５０）。
【００２４】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、無線ネットワークを利用しても構わない。この場合、ネットワークインターフェース部１０６が無線ネットワークに対応していればよい。
【図面の簡単な説明】
【００２５】
【図１】本実施形態に係る音声通信装置の概略ブロック図。
【図２】本実施形態に係る発呼側及び着呼側の音声通信装置のフローチャート。
【図３】本実施形態に係る発呼側音声通信装置のフローチャート。
【図４】本実施形態に係る着呼側音声通信装置のフローチャート。
【符号の説明】
【００２６】
１０１  操作部
１０２  表示部
１０３  スピーカ
１０４  マイク
１０５  操作インターフェース部
１０６  ネットワークインターフェース部
１０７  制御部
１０８  符号化／複合化処理部
１０９  着信音／音声記憶部
１１０  有線ネットワーク
【図１】
2005109558.tif 000003
【図２】
2005109558.tif 000004
【図３】
2005109558.tif 000005
【図４】
2005109558.tif 000006